(57)【要約】【課題】本発明は、筐体の高さ方向の寸法増大を抑制するとともに、逆Ｖ字状に構成した熱交換器に対向するフィルタを、簡易な構成で且つ２面同時に清掃する清掃装置を備えた天井埋込形空気調和機を提供することを課題とする。【解決手段】本発明の天井埋込形空気調和機は、上側凸形状に構成された熱交換器と、熱交換器と対向するように構成されたフィルタと、フィルタを清掃する清掃機構と、を備え、清掃機構は、フィルタに付着した塵埃を捕集する捕集ブラシと、捕集ブラシと一体に構成されて捕集ブラシに付着した塵埃を回収するダストボックスと、を有する清掃ユニットと、凸形状フィルタの頂点部分に配置された第１レールと、フィルタの他端側に配置された第２レールと、を備え、清掃ユニットをこれらのレールに沿って移動することにより、フィルタに付着した塵埃をダストボックスに回収する。【選択図】図４
2014020658.tif 000002
【特許請求の範囲】
【請求項１】
天井に埋設される筐体と、
前記筐体の底面に配置する化粧パネルと、
前記化粧パネルの中央部に位置し、前記筐体の内部に室内空気を吸込む吸込口と、
前記吸込口の周囲に設けられ室内へ空気を吹出す吹出口と、
前記吸込口の上方に位置し、上側凸形状に構成された第1熱交換器及び第２熱交換器と、
前記吹出口と前記熱交換器との間に位置し、室内空気を前記空気吸込口より吸込み前記空気吹出口より吹出すファンと、
前記吸込口と前記熱交換器との間に位置し、前記熱交換器と対向するように上側凸形状に構成された第１フィルタ及び第２フィルタと、
前記第１フィルタ及び前記第２フィルタを清掃する清掃機構と、
を備え、
前記清掃機構は、
前記吹出口と前記フィルタとの間に位置し、前記フィルタと対向するように上側凸形状に構成され、前記フィルタに付着した塵埃を捕集する第１捕集ブラシ及び第２捕集ブラシと、
上側凸形状に構成された前記第１フィルタ及び前記第２フィルタの間に位置し、前記第１捕集ブラシ及び前記第２捕集ブラシと一体に構成されて、前記第１捕集ブラシ及び前記第２捕集ブラシに付着した塵埃を回収するダストボックスと、
を有する清掃ユニットと、
上側凸形状に構成された前記第１フィルタ及び前記第２フィルタの一端側である前記凸形状の頂点部分に配置された第１レールと、
上側凸形状に構成された前記第１フィルタ及び前記第２フィルタの他端側に配置された第２レールと、
を備え、
前記第１レール及び前記第２レールに保持された前記清掃ユニットを前記第１レール及び前記第２レールに沿って移動することにより、前記フィルタに付着した塵埃を第１捕集ブラシ及び第２捕集ブラシを介して前記ダストボックスに回収する天井埋込形空気調和機。
【請求項２】
請求項１において、前記フィルタの清掃時以外は、前記第１捕集ブラシ及び第２捕集ブラシは前記ダストボックス内に収納される天井埋込形空気調和機。
【請求項３】
請求項２において、前記フィルタの清掃時以外は、前記第１捕集ブラシ及び第２捕集ブラシは前記ダストボックス内に収納され、前記第１捕集ブラシ及び第２捕集ブラシは前記ダストボックスの蓋として機能する天井埋込形空気調和機。
【請求項４】
請求項１乃至３の何れかにおいて、前記ダストボックスは前記吸込口と対向する位置に、電気掃除機のノズルを挿入可能な開口と、前記開口を塞ぐカバーと、を有する天井埋込形空気調和機。
【請求項５】
請求項１乃至４の何れかにおいて、前記上側凸形状とは逆Ｖ字形状である天井埋込形空気調和機。
【発明の詳細な説明】
【技術分野】
【０００１】
本発明は、フィルタに捕集された集塵を清掃する清掃装置を備えた天井埋込形空気調和機に関する。
【背景技術】
【０００２】
従来の清掃装置を備えた天井埋込形空気調和機として、天井から懸架された筐体本体、吹出口を形成した化粧パネル及び化粧パネルに装着され且つ吸込口を備えた吸込グリルからなる筐体と、吸込口の裏側に設けられたフィルタと、化粧パネルと筐体本体との間に設けられたフィルタ清掃手段と、吸込グリルと吹出口とを結ぶ空気流路に設けられたファン及び熱交換器とを備えるものがある（特許文献１参照）。フィルタ清掃手段は、フィルタに付着した集塵を除去する清掃ブラシ、清掃ブラシの回転を規制するロック部材及び除去された集塵を回収するブラシを内蔵し、清掃ブラシにより除去された集塵を回収するフィルタ清掃ユニットと、フィルタ清掃ユニットをフィルタ上で移動させる駆動手段とを備える。
【先行技術文献】
【特許文献】
【０００３】
【特許文献１】特開２００７−２７１１７４号公報
【特許文献２】特開２００８‐１１６１４０号公報
【発明の概要】
【発明が解決しようとする課題】
【０００４】
特許文献１の天井埋込形空気調和機は、化粧パネルと筐体本体との間にフィルタ清掃ユニットが追加されているため、筐体本体の高さ方向の寸法が大きくなってしまう。特に、室内天井面から天井内上面の荒床面までの寸法が小さい住宅では、フィルタ清掃機能を備えた天井埋込形空気調和機を設置できない場合がある。また、フィルタとフィルタ清掃手段とが独立して筐体に装着されているので、フィルタとフィルタ清掃ユニットの位置関係を精度よく設定することが難しい。
【０００５】
本発明は、天井埋込形空気調和機において、筐体の高さ方向の寸法増大を抑制するとともに、筐体の高さ方向の寸法増大のために逆Ｖ字状に構成した２熱交換器に対向するフィルタを、簡易な構成で且つ２面同時に清掃することができる清掃装置を備えた天井埋込形空気調和機を提供することを課題とする。
【課題を解決するための手段】
【０００６】
本発明の天井埋込形空気調和機は、天井に埋設される筐体と、筐体の底面に配置する化粧パネルと、化粧パネルの中央部に位置し、筐体の内部に室内空気を吸込む吸込口と、吸込口の周囲に設けられ室内へ空気を吹出す吹出口と、吸込口の上方に位置し、上側凸形状に構成された第1熱交換器及び第２熱交換器と、吹出口と熱交換器との間に位置し、室内空気を空気吸込口より吸込み空気吹出口より吹出すファンと、吸込口と熱交換器との間に位置し、熱交換器と対向するように上側凸形状に構成された第１フィルタ及び第２フィルタと、第１フィルタ及び第２フィルタを清掃する清掃機構と、を備え、清掃機構は、吹出口とフィルタとの間に位置し、フィルタと対向するように上側凸形状に構成され、フィルタに付着した塵埃を捕集する第１捕集ブラシ及び第２捕集ブラシと、上側凸形状に構成された第１フィルタ及び第２フィルタの間に位置し、第１捕集ブラシ及び第２捕集ブラシと一体に構成されて、第１捕集ブラシ及び第２捕集ブラシに付着した塵埃を回収するダストボックスと、を有する清掃ユニットと、上側凸形状に構成された第１フィルタ及び第２フィルタの一端側である凸形状の頂点部分に配置された第１レールと、上側凸形状に構成された第１フィルタ及び第２フィルタの他端側に配置された第２レールと、を備え、第１レール及び第２レールに保持された清掃ユニットを第１レール及び第２レールに沿って移動することにより、フィルタに付着した塵埃を第１捕集ブラシ及び第２捕集ブラシを介してダストボックスに回収する。
【発明の効果】
【０００７】
本発明の天井埋込形空気調和機によれば、天井埋込形空気調和機において、熱交換器を逆Ｖ字状に配置するとともにこの熱交換器間に清掃装置を配置することにより、筐体の高さ方向の寸法増大を抑制するとともに、フィルタの上下両端（逆Ｖ字条の頂点部分及び各フィルタの下端部分）に配置されたレールに沿って清掃装置を移動させて、筐体の高さ方向の寸法増大のために逆Ｖ字状に構成した熱交換器に対向するフィルタに付着した塵埃を除去するので、簡易な構成で２面同時にフィルタを清掃することができる。
【図面の簡単な説明】
【０００８】
【図１】空気調和機の斜視図。
【図２】図１の空気調和機の縦断面図。
【図３】天井埋込形空気調和機に設けられたフィルタ清掃ユニットと周囲の部品構成を示す正面図
【図４】フィルタ清掃ユニットの駆動系統を示す正面図。
【図５】（Ａ）はブラシユニットを示す分解斜視図。（Ｂ）はブラシユニットに設けられた回転ブラシの分解斜視図。
【図６】（Ａ）は待機状態のブラシユニットを示す断面図。（Ｂ）は往路移動中のフィルタ清掃中のブラシユニットを示す断面図。（Ｃ）は往復折り返し地点のブラシユニットを示す断面図。（Ｄ）は復路移動中のブラシユニットを示す断面図。
【図７】フィルタ清掃ユニットの中央断面図。
【図８】（Ａ）はフィルタ清掃ユニットの往路稼動部断面図。（Ｂ）はフィルタ清掃ユニットの正面図。
【発明を実施するための形態】
【０００９】
本発明の天井埋込形空気調和機は、天井に埋設される筐体と、筐体の底面に配置する化粧パネルと、化粧パネルの中央部に位置し、筐体の内部に室内空気を吸込む吸込口と、吸込口の周囲に設けられ室内へ空気を吹出す吹出口と、吸込口の上方に位置し、上側凸形状に構成された第1熱交換器及び第２熱交換器と、吹出口と熱交換器との間に位置し、室内空気を空気吸込口より吸込み空気吹出口より吹出すファンと、吸込口と熱交換器との間に位置し、熱交換器と対向するように上側凸形状に構成された第１フィルタ及び第２フィルタと、第１フィルタ及び第２フィルタを清掃する清掃機構と、を備え、清掃機構は、吹出口とフィルタとの間に位置し、フィルタと対向するように上側凸形状に構成され、フィルタに付着した塵埃を捕集する第１捕集ブラシ及び第２捕集ブラシと、上側凸形状に構成された第１フィルタ及び第２フィルタの間に位置し、第１捕集ブラシ及び第２捕集ブラシと一体に構成されて、第１捕集ブラシ及び第２捕集ブラシに付着した塵埃を回収するダストボックスと、を有する清掃ユニットと、上側凸形状に構成された第１フィルタ及び第２フィルタの一端側である凸形状の頂点部分に配置された第１レールと、上側凸形状に構成された第１フィルタ及び第２フィルタの他端側に配置された第２レールと、を備え、第１レール及び第２レールに保持された清掃ユニットを第１レール及び第２レールに沿って移動することにより、フィルタに付着した塵埃を第１捕集ブラシ及び第２捕集ブラシを介してダストボックスに回収する。このような本発明の天井埋込形空気調和機によれば、天井埋込形空気調和機において、熱交換器を逆Ｖ字状（上側凸形状）に配置するとともにこの熱交換器間に清掃装置を配置することにより、筐体の高さ方向の寸法増大を抑制するとともに、フィルタの上下両端（逆Ｖ字条の頂点部分及び各フィルタの下端部分）に配置されたレールに沿って清掃装置を移動させて、筐体の高さ方向の寸法増大のために逆Ｖ字状に構成した熱交換器に対向するフィルタに付着した塵埃を除去するので、簡易な構成で２面同時にフィルタを清掃することができる。
【００１０】
以下、本発明の実施の形態について図面を用いて説明する。まず、本実施形態の空気調和機１の全体構成を、図１及び図２を参照して説明する。図１は空気調和機１の設置状態を示す斜視図、図2は本発明による天井埋込形空気調和機を示す側面図、図3は天井埋込形空気調和機に設けられるフィルタ清掃ユニットと周囲の部品構成を示す正面図。図4はフィルタ清掃ユニットの駆動系統を示す正面図、図5はフィルタ清掃ユニットを示す分解斜視図、図6はフィルタ清掃ユニット内の動作を示す断面図である。
【００１１】
本発明による天井埋込形空気調和機1は、図1で示すように、天井内壁面から複数の吊りボルトにより掛架され、下面が開放された多角形状の筐体2と、室内の天井下面に周縁部を密着させた化粧パネル3と、吸込口を形成し化粧パネル3には吸込グリル4と、筐体2内に設けられた、フィルタ掃除ユニット5とで構成される。化粧パネル3の吸込グリル4の両側には風向偏向板を備えた吹出口が左右に２ヶ所に形成される。吸込グリル4と化粧パネル3の吹出口とを結び、筐体2内に形成された空気流路には、吸込グリル4から室内の空気を吸引する送風ファン8と、送風ファン8を囲うように並列された多数のフィンと、フィンに直交するように蛇行状に配設された伝熱管とからなる熱交換器9（第1熱交換器及び第２熱交換器）が逆Ｖ字状（上側凸形状）に左右に配設される。また、筐体2の一側面には回転軸を送風ファン8に固定して、これを駆動するファンモータ10が左右に配置される。吸込口から送風ファン8によって吸込まれた室内の空気は熱交換器9に向かい、熱交換器9を通過して熱交換された後、左右の吹出口から再び室内に送出される。
【００１２】
図3の正面図で示すように、フィルタ清掃ユニット5は、熱交換器9の前面に配置された枠部5aに装着されたフィルタ11（吸込口と熱交換器との間に位置し、熱交換器と対向するように上側凸形状に構成された第１フィルタ及び第２フィルタと、）と、枠部5aの両端に配置された相対向する一対のレール12a、12b（上側凸形状に構成された第１フィルタ及び第２フィルタの一端側である凸形状の頂点部分に配置された第１レール12aと、上側凸形状に構成された第１フィルタ及び第２フィルタの他端側に配置された第２レール12b）と、レール12a、12bに左右移動可能なブラシユニット13（吹出口とフィルタとの間に位置し、フィルタと対向するように上側凸形状に構成され、フィルタに付着した塵埃を捕集する第１捕集ブラシ及び第２捕集ブラシ）と、フィルタ清掃ユニット5にブラシユニット13を固定するブラシユニット抑え13aと、ブラシユニット13を駆動させるための駆動ユニット14を備える。
【００１３】
図4で示すように、枠部5aに装着されるフィルタ11は、碁盤の目状の細桟11aを備えた枠体と、枠体表面に張設され、網目が規則的に形成されたフィルタ部11bとから構成される。フィルタ部11bは例えばポリエチレンテレフタレート樹脂などから形成される。また、フィルタ11の枠体両側には突状部が形成され、枠部5aに備えられたフィルタ抑え5bによって枠部5aに固定される。
【００１４】
図4で示すように、ブラシユニット抑え13aには、両側に回動可能なキャスタ13bがレール12a、12b上を転動することにより、フィルタ11上をブラシユニットが均等且つ適切な面圧で移動可能に支持される。駆動ユニット14の一側には、ブラシユニット13を移動させるためのステッピングモータ14aが固定される。さらに、ステッピングモータ14aの動力を伝達するためのシャフト14bと回転運動をブラシユニット13の左右往復運動に変換するウォームギア13cが備えられる。枠部5aに設けられたラックにより、ブラシユニット13はブラシユニット抑え13aとともに左右に往復移動する。ブラシユニット13はフィルタ11の前面に配置される。
【００１５】
次に、ブラシユニット13について説明する。図5（Ａ）はブラシユニット13の分解斜視図である。ブラシユニット13は、回転ブラシ15と、回転ブラシ15を支持するブラシ座16と、回転ブラシ15によって捕集した塵埃を受け取る台座である受け座18と、回転ブラシ15の回転を制御するアーム17と、清掃により捕集した塵埃を溜めるダストボックス19（上側凸形状に構成された第１フィルタ及び第２フィルタの間に位置し、第１捕集ブラシ及び第２捕集ブラシと一体に構成されて、第１捕集ブラシ及び第２捕集ブラシに付着した塵埃を回収するダストボックス）とで構成される。図5（Ｂ）で示すように、回転ブラシ15内部には、フィルタ11に接触し清掃するナイロン製のブラシ15aと、ブラシ15aを支えるゴム製のブラシケース15bと、ブラシ15aとブラシケース15bを回転させる土台となるブラシ台15cと、ブラシ15aとブラシケース15bをブラシ台15cに固定するブラシ抑え15dとで構成される。
【００１６】
回転ブラシ15は両端に設けられた軸をブラシ座16に設けられた軸穴に支持されている。アーム17は回転ブラシ15の軸が貫通しており、ブラシ座16との間で支持される。受け座18は両端部に設けられた軸をブラシ座16に設けられた軸穴に支持される。ばねの作用により回転ブラシ15が回転する。具体的には、ブラシ台15cを受け座18の方向に回転させるばね20aと、アーム17をブラシ台15cに押し付けるばね20bと、受け座18をブラシ台15cに押し付けるばね20cとを備える。さらに、受け座18にはブラシ15aによって捕集された塵埃を受け取るリントブラシ（起毛させた繊維（ナイロン等）により埃を吸着するブラシ）18aが貼付される。さらに、ブラシ台15cにはリントブラシ18aに付着した塵埃を擦り、ダストボックス19に落下させるリントブラシ15eが貼付される。回転ブラシ15は、ばね20aの力によって受け座18の方向に回転し、ばね20aを固定するためのブラシ台15cの端部に設けられた凸部15fがブラシ座16に干渉することによって、回転を静止させる。
【００１７】
次に、フィルタ清掃の動作について説明する。図6はブラシユニット13の動作を示す断面図、図6（Ａ）はブラシユニット13の待機時を示し、天井埋込形空気調和機1が運転停止時の場合、または天井埋込形空気調和機1の運転中におけるフィルタ清掃機能停止時の場合を示している。図6（Ａ）で示すように、ブラシユニットはフィルタ11の下面に配設され、回転ブラシ15は両端に設けられた軸がブラシ座16の軸穴によって支持されることにより、回動できる構成となっている。ブラシ座16はブラシユニット抑え13aによって固定され、ばね20aにより回転ブラシ15は受け座18の方向に回転力が加わり、アーム17はフィルタ11面の凹部21aによって拘束されないので、回転ブラシ15は受け座18方向に回転する。回転ブラシ15の回転規制方法としては、ブラシ15aの先端がリントブラシ18aの下端に到達した時点で回転を抑制させるため、ブラシ台15cの端面に設けられた凸部15fが、ブラシ座16に干渉する構成となっている。
【００１８】
図6（Ｂ）はフィルタ清掃中のブラシユニット13を示す断面図である。フィルタの清掃が開始すると、駆動ユニット14が始動し、シャフト14bの回転がウォームギア13cに伝達され、図6（Ｂ）の往路進行方向に移動し始める。凹部21aから離れることにより、アーム17が細桟11aに干渉し、ブラシ台15cとアーム17に設けられた凸部同士が干渉することで、回転ブラシ15はばね20aの回転力に対抗し、ブラシ15aがフィルタ11の方向に回転する。これによりブラシ15aはフィルタ11に接触し、さらにブラシ15aとフィルタ11との摩擦力も回転ブラシ15の回転力に加わる。回転力によってブラシ15aがフィルタ11に接触し、ブラシ15aがフィルタ11に対し直角に交わる前にブラシ台15cとアーム17に設けられた凸部同士の干渉が解放される。これにより以降の回転はブラシ15aとフィルタ11との摩擦力のみによって回転し、ブラシ15aとフィルタ11が直角に交わった時点で、回転が抑制されるように、ブラシ座16に設けられた回転抑制部16aとブラシ台15cの底面が干渉する。このようにブラシ15aとフィルタ11が直角に交わる前に、ブラシ台15cとアーム17に設けられた凸部同士の干渉が解放される機構にしたのは、フィルタ清掃ユニット5、フィルタ11、及び、レール12a、12bの歪み、又は、小さな凹凸による精確な平行移動が困難な場合においても、アーム17とブラシ台15cの凸部同士に遊びを持たせることにより、圧縮力及びせん断力による構成部品の破損を防止するためである。
【００１９】
図6（Ｂ）の往路進行方向に移動することにより、フィルタ11に付着した塵埃をブラシ15aによって捕集することができる。
【００２０】
図6（Ｃ）はブラシユニット13の往復折り返し地点でのブラシユニット13を示す断面図である。ばね20bの力でフィルタ11に拘束抑制されていたアーム17は凹部21bによって解放され、拘束力を失った回転ブラシ15は、ばね20aの回転力により受け座18の方向に回転し、図6（Ａ）の待機状態と同様にブラシ台15cの端面に設けられた凸部15fがブラシ座16に干渉することで回転を静止させる。
【００２１】
図6（Ｄ）は復路進行時のブラシユニット13を示す断面図である。アーム17は凹部21bから離れるとともにフィルタ11に干渉するが、回転ブラシ15を回転させたブラシ台15cとアーム17の凸部とは反対方向にアーム17が回転しようとするため、回転ブラシ15はばね20aによって図6（Ｃ）の状態を保ち、アーム17はばね20bによってフィルタ11の下面に常に接しながら待機状態（図6（Ａ））まで復路進行方向に移動する。
【００２２】
次に、ブラシ15aによって捕集した塵埃の移動について説明する。ブラシ15aによって捕集された塵埃は図6（Ｃ）で示すように、折り返し地点においてブラシ15aと、受け座18に設けられたリントブラシ18aに接触し、そのまま待機状態（図6（Ａ））まで復路移動する。受け座18に設けられたばね20cによって、回転ブラシ15の方向に回転しようとするので、ブラシ15aとリントブラシ18aは常に一定圧力で接する。続いて、次回のフィルタ掃除機能作動時に凹部21aを離れることによって、回転ブラシ15が回転し、ブラシ15aがリントブラシ18aの表面を移動する際、リントブラシ18aの毛は、ダストボックス19の方向に整列しているので、ブラシ15aに捕集した塵埃はフィルタ11に戻ることなく、リントブラシ18aに回収される。さらに往路進行方向に移動し、図6（Ｃ）のように回転する際、リントブラシ18aとブラシ台15cに設けられたリントブラシ15eは、ばね20cによって一定圧力で接しており、さらにリントブラシ15eの毛もリントブラシ18aと同様、ダストボックス19の方向に整列しているため、前回のフィルタ清掃時に捕集され、リントブラシ18aに回収されている塵埃を回転ブラシ15の回転により、ダストボックス19に落下させ、蓄積させる。
【００２３】
次に、フィルタ清掃によってダストボックス19に蓄積した塵埃の廃棄方法について説明する。清掃部13はフィルタ清掃ユニット5から着脱可能であり、塵埃の廃棄時にはフィルタ清掃ユニット5を製品本体から取り外すことができる。フィルタ清掃ユニット全体が一体となって外れるため、ダストボックス19に蓄積した塵埃を飛散させてしまうという不具合を解消することができる。
【００２４】
そして、図5に示すように、ダストボックス19とブラシ保持ケース16とが着脱可能となっており、ブラシ保持ケース16からダストボックス19を取り外すことにより、ダストボックス19内に蓄積した塵埃を廃棄することができる。
【００２５】
さらには、図7に示すように、ダストボックス19の下面に開口部19ｂが設けられる。開口部19ｂは、吸込パネル４を開いた状態で、空気吸込口30ａに露出される。開口部19ｂに電気掃除機のノズル25を挿入して吸引することで、清掃部13を天井埋込形空気調和機１から取り外すことなく、容易に塵埃を廃棄することができる。そして、ダストボックス19の開口部19ｂにノズル25を挿入しない状態では、開口部19ｂは回動可能なカバー24により塞がれているので、ダストボックス9内の塵埃が開口から漏れることがない。ノズル25の先端でカバー24を押すことによってカバー24が回動され、開口内にノズル25の先端を挿入することができる。また、ノズル25にはガイド25ａが設けられているので、このガイド25ａを利用して、ノズル25の先端をダストボックス19の開口部19ｂに誘導することができる。ガイド25ａを、例えば、化粧パネル３に当てるようにすることで、作業者による必要以上の力が加わることを防ぎ、構成部品の損傷を防ぐことができる。
【００２６】
本実施形態によれば、フィルタ11に塵埃が堆積した際、回転ブラシ15を備えたブラシユニット13が一側から他側に向かい移動を行う往路では、ブラシ15aがフィルタ11に接触して清掃する。また、折り返し地点（図6（Ｃ））において、前回のフィルタ清掃時に回収し、リントブラシ18aに付着した塵埃をリントブラシ15eによりダストボックス19に落下させ、今回のフィルタ清掃時に捕集した塵埃をリントブラシ15eが通過した後のリントブラシ18aに付着させることにより、人手を介することなく、容易にフィルタ清掃作業を行うことができる。また、フィルタ11と、ブラシユニット13と、駆動ユニット14を筐体2内部に納めたことで、従来の天井埋込形空気調和機の寸法を変えることなく、フィルタ清掃機能を搭載することができる。
【００２７】
尚、本実施例の天井埋込形空気調和機においては、フィルタの清掃時以外は、第１捕集ブラシ及び第２捕集ブラシをダストボックス内に収納する。ダストボックス内の空間に第１捕集ブラシ及び第２捕集ブラシを収納するので、清掃機構をコンパクトに構成することができる。
【００２８】
また、ダストボックス内の空間に第１捕集ブラシ及び第２捕集ブラシを収納するとともに、この際、第１捕集ブラシ及び第２捕集ブラシがダストボックスの蓋として機能する（第１捕集ブラシ及び第２捕集がダストボックスと連通する開口部を覆う）ように構成する。このように構成することにより、フィルタの清掃時以外において、ダストボックス内から捕集された塵埃が放出されるのを防止することができる。
【００２９】
また、上述したように、ダストボックスは吸込口と対向する位置（ダストボックスの下面）に電気掃除機のノズルを挿入可能な開口及びこの開口を塞ぐカバーを備える。吸込口と対向する位置（ダストボックスの下面）に開口を備えるので、容易に電気掃除機のノズルを挿入してダストボックス内の塵埃を除去することができる。また、この開口を塞ぐカバーを備えるので意図しないときにダストボックス内から塵埃が放出されるのを防止することができる。
【符号の説明】
【００３０】
1…天井埋込形空気調和機、2…筐体、3…化粧パネル、4…吸込パネル、5…フィルタ清掃ユニット、5…枠部、5b…フィルタ抑え、8…送風ファン、9…熱交換器、10…ファンモータ、11…フィルタ、11a…細桟、11b…フィルタ部、12a,12b…レール、13…ブラシユニット、13a…ブラシユニット抑え、13b…キャスタ、13ｃ…ウォームギア、14…駆動ユニット、14a…ステッピングモータ、14b…シャフト、15…回転ブラシ、15a…ブラシ、15b…ブラシケース、15c…ブラシ台、15d…ブラシ抑え、15e…リントブラシ、15f…凸部、16…ブラシ座、16a…回転抑制部、17…アーム、18…受け座、18a…リントブラシ、19…ダストボックス、19a…ブラシ保持ケース係合穴、19b…開口部、20a,20b,20c…ばね、21a,21b…凹部、22…吹出口パネル、24…カバー、25…ノズル、25a…ガイド、26…吊ボルト
【図１】
2014020658.tif 000003
【図２】
2014020658.tif 000004
【図３】
2014020658.tif 000005
【図４】
2014020658.tif 000006
【図５】
2014020658.tif 000007
【図６】
2014020658.tif 000008
【図７】
2014020658.tif 000009
【図８】
2014020658.tif 000010